(57)【要約】【課題】  土壌散布剤に関する新たな製造方法を提供する。【解決手段】  植物系廃棄物Ｘを原料として水蒸気分解することによって土壌散布剤の1つである融雪材を製造する。【選択図】      図２
2005146024.tif 000002
【特許請求の範囲】
【請求項１】
植物系廃棄物を原料として水蒸気分解することによって土壌散布剤の1つである融雪材を製造することを特徴とする土壌散布剤の製造方法。
【請求項２】
植物系廃棄物を原料として水蒸気分解することによって土壌散布剤の1つである防虫剤あるいは除草剤を製造することを特徴とする土壌散布剤の製造方法。
【請求項３】
植物系廃棄物を原料として水蒸気分解し、その分解物にｐＨ調整処理を施すことによって土壌散布剤の1つとして植物への栄養補給効果あるいは種子発芽促進効果のある植物活性剤を製造することを特徴とする土壌散布剤の製造方法。
【請求項４】
植物系廃棄物を原料として水蒸気分解することによって土壌散布剤の1つである凍結防止剤を製造することを特徴とする土壌散布剤の製造方法。
【請求項５】
植物系廃棄物を原料として水蒸気分解することによって土壌散布剤の1つとして土壌を酸性にする土壌改良剤を製造することを特徴とする土壌散布剤の製造方法。
【請求項６】
水蒸気分解の分解物を生分解性プラスチック容器に詰め込んで土壌改良剤とすることを特徴とする請求項５記載の土壌散布剤の製造方法。
【発明の詳細な説明】
【技術分野】
【０００１】
本発明は、土壌散布剤の製造方法に関する。
【背景技術】
【０００２】
例えば特開２００２−１１３４４４号公報には、食品廃棄物、農業・畜産廃棄物あるいは漁業廃棄物等の有機系廃棄物を蒸気分解する技術が開示されている。この従来技術は、ボイラで発生した水蒸気を反応器に供給することにより当該反応器内の有機系廃棄物を蒸気分解するものであり、当該蒸気分解によって生成された分解物に各種の処理を施すことにより、液体状の分解物から液体肥料を分離したり、固形の分解物から肥料や固形燃料を生成するものである。
【特許文献１】特開２００２−１１３４４４号公報
【発明の開示】
【発明が解決しようとする課題】
【０００３】
ところで、上記分解物については肥料として再利用されるが、上述した処理装置が普及すると、大量の分解物が生産されることになり、肥料以外の再利用方法が模索されている。また、逆の視点から、分解物の新たな処理方法が種々開発されることにより、有機系廃棄物を蒸気分解する処理装置の普及が期待される。
【０００４】
本発明は、上述した事情に鑑みてなされたものであり、土壌散布剤に関する新たな製造方法を提供することを目的とするものである。
【課題を解決するための手段】
【０００５】
上記目的を達成するために、本発明では、草木を原料として水蒸気分解することによって土壌散布剤の1つである融雪材を製造するという手段を採用する。
【発明の効果】
【０００６】
自然環境に無害な草木を原料とし、この草木を同じく無害な水蒸気を用いて高温・高圧下で分解処理して得られる固形分解物は、自然環境に無害であると共に有色物である。すなわち、この固形分解物は、地表に散布した場合に太陽光を吸収して融雪材としての機能を呈する。
【発明を実施するための最良の形態】
【０００７】
以下、図面を参照して、本発明の実施形態について説明する。
図１は、上記有機系廃棄物処理装置の概略構成図である。この構成図において、処理容器１は、一種の圧力容器であり、給気弁２を介して蒸気ボイラ３から供給される水蒸気によって植物系廃棄物Ｘを蒸気分解する。この処理容器１は、側部が開閉ドアになっており、当該開閉ドアを介して内部に植物系廃棄物Ｘを収容する。給気弁２は、水蒸気の処理容器１への供給を制御する制御弁であり、自らの開閉状態を変更することにより処理容器１内の温度及び圧力が所定値となるように、つまり処理容器１内における蒸気分解の処理条件を設定する。ここで、植物系廃棄物Ｘは、例えば草あるいは木材等の草木、あるいは藁あるいは籾殻等の農業廃棄物である。
【０００８】
蒸気ボイラ３は、水蒸気を発生させ、給気弁２を介して上記処理容器１に供給する。排気弁４は、蒸気分解後の排ガスを外部に排出するために処理容器１に付随して設けられた排出経路の途中部位に備えられている。この排気弁４は、植物系廃棄物Ｘの蒸気分解時には閉じられて排出経路を閉鎖する一方、蒸気分解が終了すると開放される。ドレイン排出弁５は、処理容器１の低部に溜まる液体成分を外部に排出するために設けられている。
【０００９】
この液体成分は、植物系廃棄物Ｘを蒸気分解することによって得られる植物系廃棄物Ｘの抽出液である。安全弁６は、処理容器１内が異常圧力となったときに開状態となって処理容器１を保護する。圧力計７は、処理容器１の内圧つまり処理容器１内における蒸気分解の圧力を計測する。温度計８は、処理容器１の内部温度つまり処理容器１内における蒸気分解の温度を計測する。
【００１０】
なお、この構成図では、有機系廃棄物処理装置の制御構成については省略している。本有機系廃棄物処理装置には実際は制御装置が付随しており、この制御装置は、圧力計７及び温度計８の各測定値に基づいて処理容器１内で生じる蒸気分解の処理条件が所定条件となるように給気弁４を制御すると共に、蒸気分解の処理時間等に応じて排気弁４やドレイン排出弁５の開閉を制御する。
【００１１】
次に、このような有機系廃棄物処理装置を用いた土壌散布剤の製造方法について、図２に示す説明図を参照して説明する。
（１）融雪材を製造する場合
最初に原料である植物系廃棄物Ｘは、上記有機系廃棄物処理装置によって水蒸気分解されることによって固形分解物Ｙ及び抽出液Ｚとなる。植物系廃棄物Ｘのうち、木材や藁はウッドチッパ等によって予め細かく裁断された状態で処理容器１内に収容される。
【００１２】
そして、排気弁４及びドレイン排出弁５が閉状態とされ、また給気弁２が開状態とされることによって、蒸気ボイラ３の水蒸気が処理容器１内に供給され、所定時間に亘る植物系廃棄物Ｘの蒸気分解処理が行われる。この蒸気分解処理の間、処理条件つまり処理圧力及び処理温度は、圧力計７及び温度計８の各性測値に基づいて所定の処理条件に維持される。ここで、草を分解処理する場合の処理温度は１７０〜１８０°Ｃ、また木材、藁あるいは籾殻を分解処理する場合の処理温度は１８０〜２１０°Ｃに設定される。
【００１３】
このような蒸気分解処理が終了すると、給気弁２が閉状態とされると共に排気弁４及びドレイン排出弁５が開状態とされる。そして、処理容器１の低部に溜まった抽出液Ｚはドレイン排出弁５を介して外部に排出され、排ガスは排気弁４を介して大気に放出され、また処理容器１内に残った固形分解物Ｙは開閉ドアを介して外部に搬出される。
【００１４】
そして、融雪材は、上記固形分解物Ｙを乾燥処理することにより製造される。固形分解物Ｙは、自然環境に無害な植物系廃棄物Ｘを原料とし、この植物系廃棄物Ｘを同じく無害な水蒸気を用いて高温・高圧下で分解処理して得られるものなので、自然環境に無害である。また、この固形分解物Ｙは、黒あるいは黒褐色の有色物であり、地表に散布した場合に太陽光を吸収して融雪材としての機能を呈する。
【００１５】
（２）植物活性剤，凍結防止剤を製造する場合
植物活性剤及び凍結防止剤を製造する場合における蒸気分解処理の処理温度は１７０〜２１０°Ｃに設定され、この条件で抽出された抽出液ＺをｐＨ調節処理することによって中性に近い植物活性剤及び凍結防止剤が製造される。このｐＨ調節処理では、抽出液Ｚを水で１００〜１０００倍に希釈することによってｐＨ６〜７となるように、あるいは水酸化ナトリウム（ＮａＯＨ）や水酸化カリウム（ＫＯＨ）等のアルカリ水を添加することによってｐＨ６〜８となるようにｐＨ調節する。なお、凍結防止剤については、植物に対する影響を特に考慮する必要がない土壌に散布する場合には、ｐＨ調節する必要はない。
【００１６】
蒸気分解処理ではセルロース等の高分子が一部糖質等に低分子化され、またｐＨ６〜８にｐＨ調節することにより、植物に吸収され易い栄養剤の機能を呈する。一方、こうした液を土壌に散布すると、氷点を下げて地面の凍結を防止する凍結防止剤としての機能を呈する。
【００１７】
（３）防虫剤，除草剤を製造する場合
次に、防虫剤及び除草剤を製造する場合における蒸気分解処理の処理温度は１７０〜２１０°Ｃに設定され、この条件で抽出された抽出液Ｚは、防虫剤あるいは除草剤としての機能を呈する。すなわち、この抽出液ＺはｐＨ３〜４つまり酸性であり、土壌を木酢と同様に虫や雑草が生息し難い環境にする。
【００１８】
（４）土壌改良材を製造する場合
この場合、草を蒸気分解処理する場合の処理温度は１７０〜１８０°Ｃ、また木材、藁あるいは籾殻を分解処理する場合の処理温度は１８０〜２１０°Ｃに設定される。そして、このような蒸気分解処理によって得られた固形分解物Ｙが生分解性プラスチック容器に詰め込まれることによって土壌改良材が製造される。
【００１９】
このような土壌改良材を埋設した場合、生分解性プラスチック容器は数ヶ月の間に土壌中の微生物によって分解され、この結果、当該生分解性プラスチック容器内に収納された固形分解物Ｙが土壌と混じり合って土壌を改質する。固形分解物Ｙは、蒸気分解処理によってセルロース等の高分子が一部糖質等に低分子化されたものであり、土壌中の微生物や植物の栄養となり易い。また、土壌中で構造体として存在するので通気が良く、また細かい繊維成分を含んでいるので保水性に優れている。
【図面の簡単な説明】
【００２０】
【図１】本発明の一実施形態における有機系廃棄物処理装置の概略構成図である。
【図２】本発明の一実施形態に係る土壌散布剤の製造方法の説明図である。
【符号の説明】
【００２１】
Ｘ…植物系廃棄物、Ｙ…固形分解物、Ｚ…抽出液、１…処理容器、２…給気弁、３…蒸気ボイラ、４…排気弁、５…ドレイン排出弁、６…安全弁、７…圧力計、８…温度計
【図１】
2005146024.tif 000003
【図２】
2005146024.tif 000004